(57)【特許請求の範囲】
【請求項１】
ネットワーク管理サーバに接続され、複数の端末通信装置とネットワークを介して接続される上位側の通信装置において、
前記端末通信装置との間で予め設定された識別ＩＤのフレームを送受信する専用の仮想的なパスを形成して通信を行う通信部と、
新たな端末通信装置が前記ネットワークに接続されたことを検出する検出部と、
前記検出部が検出した前記端末通信装置に前記ネットワーク管理サーバから受け取った設定情報を送信する設定部と
を有し、
前記検出部は、前記通信部を介して前記ネットワークに予め設定された識別ＩＤの接続確認メッセージを前記専用の仮想的なパスで定期的にブロードキャスト送信し、前記接続確認メッセージと同一の前記識別ＩＤおよび前記端末通信装置を特定可能なユニークな装置情報を含む接続応答メッセージを受信するか否かによって新たな端末通信装置が前記ネットワークに接続されたことを検出し、
前記設定部は、前記接続確認メッセージに含まれる前記装置情報に対応する設定情報を前記ネットワーク管理サーバから受け取り、受け取った設定情報と、前記接続確認メッセージと同一の前記識別ＩＤと、前記装置情報とを含む設定通知メッセージを前記端末通信装置に送信する
ことを特徴とする通信装置。
【請求項２】
請求項１に記載の通信装置に前記ネットワークを介して接続される端末通信装置において、
前記通信装置との間で予め設定された前記識別ＩＤのフレームを送受信する専用の仮想的なパスを形成して通信を行う端末通信部と、
前記端末通信部を介して前記通信装置から前記識別ＩＤの前記接続確認メッセージを受信した場合に、前記接続確認メッセージと同一の前記識別ＩＤおよび自装置を特定可能なユニークな装置情報を含む前記接続応答メッセージを前記通信装置に送信する端末制御部と
を有し、
前記端末制御部は、前記端末通信部を介して前記通信装置から、前記接続確認メッセージと同一の前記識別ＩＤと、自装置の装置情報と、設定情報とを含む設定通知メッセージを受信した場合に、受信した前記設定情報を用いて自装置の設定を行う
ことを特徴とする端末通信装置。
【請求項３】
ネットワーク管理サーバと、前記ネットワーク管理サーバに接続された上位側の通信装置と、前記通信装置にネットワークを介して接続される複数の端末通信装置とで構成され、新たに前記ネットワークに接続された前記端末通信装置の設定を前記ネットワーク管理サーバおよび前記上位側の通信装置から遠隔で行う遠隔設定システムにおいて、
前記上位側の通信装置は、
前記端末通信装置との間で予め設定された識別ＩＤのフレームを送受信する専用の仮想的なパスを形成して通信を行う通信部と、
新たな端末通信装置が前記ネットワークに接続されたことを検出する検出部と、
前記検出部が検出した前記端末通信装置に前記ネットワーク管理サーバから受け取った設定情報を送信する設定部と
を有し、
前記検出部は、前記通信部を介して前記ネットワークに予め設定された識別ＩＤの接続確認メッセージを前記専用の仮想的なパスで定期的にブロードキャスト送信し、前記接続確認メッセージと同一の前記識別ＩＤおよび前記端末通信装置を特定可能なユニークな装置情報を含む接続応答メッセージを受信するか否かによって新たな端末通信装置が前記ネットワークに接続されたことを検出し、
前記設定部は、前記接続確認メッセージに含まれる前記装置情報に対応する設定情報を前記ネットワーク管理サーバから受け取り、受け取った設定情報と、前記接続確認メッセージと同一の前記識別ＩＤと、前記装置情報とを含む設定通知メッセージを前記端末通信装置に送信し、
前記端末通信装置は、
前記通信装置との間で予め設定された前記識別ＩＤのフレームを送受信する専用の仮想的なパスを形成して通信を行う端末通信部と、
前記端末通信部を介して前記通信装置から前記識別ＩＤの前記接続確認メッセージを受信した場合に、前記接続確認メッセージと同一の前記識別ＩＤおよび自装置を特定可能なユニークな装置情報を含む前記接続応答メッセージを前記通信装置に送信する端末制御部と
を有し、
前記端末制御部は、前記端末通信部を介して前記通信装置から前記接続確認メッセージと同一の前記識別ＩＤと、自装置の装置情報と、設定情報とを含む設定通知メッセージを受信した場合に、受信した前記設定情報を用いて自装置の設定を行う
ことを特徴とする遠隔設定システム。
【請求項４】
ネットワーク管理サーバと、前記ネットワーク管理サーバに接続された上位側の通信装置と、前記通信装置にネットワークを介して接続される複数の端末通信装置とで構成され、新たに前記ネットワークに接続された前記端末通信装置の設定を前記ネットワーク管理サーバおよび前記上位側の通信装置から遠隔で行うための遠隔設定方法において、
前記上位側の通信装置では、
前記端末通信装置との間で予め設定された識別ＩＤのフレームを送受信する専用の仮想的なパスを形成して通信を行い、前記ネットワークに予め設定された識別ＩＤの接続確認メッセージを前記専用の仮想的なパスで定期的にブロードキャスト送信する手順と、
前記接続確認メッセージと同一の前記識別ＩＤおよび前記端末通信装置を特定可能なユニークな装置情報を含む接続応答メッセージを受信するか否かによって新たな端末通信装置が前記ネットワークに接続されたことを検出する手順と、
前記接続確認メッセージに含まれる前記装置情報に対応する設定情報を前記ネットワーク管理サーバから受け取り、受け取った設定情報と、前記接続確認メッセージと同一の前記識別ＩＤと、前記装置情報とを含む設定通知メッセージを前記端末通信装置に送信する手順と
を実行し、
前記端末通信装置では、
前記通信装置との間で予め設定された識別ＩＤのフレームを送受信する専用の仮想的なパスを形成して通信を行い、前記通信装置から前記識別ＩＤの前記接続確認メッセージを受信した場合に、前記接続確認メッセージと同一の前記識別ＩＤおよび自装置を特定可能なユニークな装置情報を含む前記接続応答メッセージを前記通信装置に送信する手順と、
前記通信装置から前記接続確認メッセージと同一の前記識別ＩＤの設定通知メッセージと、自装置の装置情報と、設定情報とを含む前記設定通知メッセージを受信した場合に、受信した前記設定情報を用いて自装置の設定を行う手順と
を実行する
ことを特徴とする遠隔設定方法。
【発明の詳細な説明】
【技術分野】
【０００１】
本発明は、ネットワークで接続された装置の設定を遠隔で行う技術に関する。
【背景技術】
【０００２】
ネットワーク接続されたルーターやＬ２スイッチなどの端末側の通信装置を新たに設置する際に、保守者が設置場所に出向いて装置の初期設定を手動で行っていた。一方、パソコンなどの最終端末がネットワークに接続されたときに、ＤＨＣＰサーバからＩＰアドレスを自動的に付与する技術が知られている（例えば特許文献１参照）。
【先行技術文献】
【特許文献】
【０００３】
【特許文献１】特開２００７−４３５４１号公報
【発明の概要】
【発明が解決しようとする課題】
【０００４】
ところが、従来は通信装置を新たに設置する度に保守者が現地で初期設定を行わなければならず、多大な手間とコストが掛かるという問題があった。また、パソコンなどの最終端末機器ではなく、ルーターやスイッチなどネットワークの途中にある通信装置の場合は、インバンドで流れている設定用の制御フレームとユーザフレームとの区別がつかないという問題がある。このため、ユーザフレームを送受信するネットワークと独立した監視制御用ネットワークをアウトバンドで設けて設定用の制御フレームを送受信する必要があり、コスト的な問題があった。
【０００５】
上記課題に鑑み、本発明の目的は、インバンドで設定用の制御フレームとユーザフレームとを送受信する場合に、制御フレームを送受信する識別ＩＤを付与することによって、新たに設置された通信装置や端末を自動的に検知して、初期設定などを遠隔で行うことができる通信装置，端末通信装置および遠隔設定システム並びに遠隔設定方法を提供することである。
【課題を解決するための手段】
【０００６】
請求項１に係る通信装置は、ネットワーク管理サーバに接続され、複数の端末通信装置とネットワークを介して接続される上位側の通信装置において、前記端末通信装置との間で予め設定された識別ＩＤのフレームを送受信する専用の仮想的なパスを形成して通信を行う通信部と、新たな端末通信装置が前記ネットワークに接続されたことを検出する検出部と、前記検出部が検出した前記端末通信装置に前記ネットワーク管理サーバから受け取った設定情報を送信する設定部とを有する。
【０００７】
そして、前記検出部は、前記通信部を介して前記ネットワークに予め設定された識別ＩＤの接続確認メッセージを前記専用の仮想的なパスで定期的にブロードキャスト送信し、前記接続確認メッセージと同一の前記識別ＩＤおよび前記端末通信装置を特定可能なユニークな装置情報を含む接続応答メッセージを受信するか否かによって新たな端末通信装置が前記ネットワークに接続されたことを検出し、前記設定部は、前記接続確認メッセージに含まれる前記装置情報に対応する設定情報を前記ネットワーク管理サーバから受け取り、受け取った設定情報と、前記接続確認メッセージと同一の前記識別ＩＤと、前記装置情報とを含む設定通知メッセージを前記端末通信装置に送信することを特徴とする。
【０００８】
請求項２に係る端末通信装置は、請求項１に記載の通信装置に前記ネットワークを介して接続される端末通信装置において、前記通信装置との間で予め設定された前記識別ＩＤのフレームを送受信する専用の仮想的なパスを形成して通信を行う端末通信部と、前記端末通信部を介して前記通信装置から前記識別ＩＤの前記接続確認メッセージを受信した場合に、前記接続確認メッセージと同一の前記識別ＩＤおよび自装置を特定可能なユニークな装置情報を含む前記接続応答メッセージを前記通信装置に送信する端末制御部とを有する。
【０００９】
そして、前記端末制御部は、前記端末通信部を介して前記通信装置から、前記接続確認メッセージと同一の前記識別ＩＤと、自装置の装置情報と、設定情報とを含む設定通知メッセージを受信した場合に、受信した前記設定情報を用いて自装置の設定を行うことを特徴とする。
【００１０】
請求項３に係る遠隔設定システムは、ネットワーク管理サーバと、前記ネットワーク管理サーバに接続された上位側の通信装置と、前記通信装置にネットワークを介して接続される複数の端末通信装置とで構成され、新たに前記ネットワークに接続された前記端末通信装置の設定を前記ネットワーク管理サーバおよび前記上位側の通信装置から遠隔で行う遠隔設定システムにおいて、前記上位側の通信装置は、前記端末通信装置との間で予め設定された識別ＩＤのフレームを送受信する専用の仮想的なパスを形成して通信を行う通信部と、新たな端末通信装置が前記ネットワークに接続されたことを検出する検出部と、前記検出部が検出した前記端末通信装置に前記ネットワーク管理サーバから受け取った設定情報を送信する設定部とを有し、前記検出部は、前記通信部を介して前記ネットワークに予め設定された識別ＩＤの接続確認メッセージを前記専用の仮想的なパスで定期的にブロードキャスト送信し、前記接続確認メッセージと同一の前記識別ＩＤおよび前記端末通信装置を特定可能なユニークな装置情報を含む接続応答メッセージを受信するか否かによって新たな端末通信装置が前記ネットワークに接続されたことを検出し、前記設定部は、前記接続確認メッセージに含まれる前記装置情報に対応する設定情報を前記ネットワーク管理サーバから受け取り、受け取った設定情報と、前記接続確認メッセージと同一の前記識別ＩＤと、前記装置情報とを含む設定通知メッセージを前記端末通信装置に送信し、前記端末通信装置は、前記通信装置との間で予め設定された前記識別ＩＤのフレームを送受信する専用の仮想的なパスを形成して通信を行う端末通信部と、前記端末通信部を介して前記通信装置から前記識別ＩＤの前記接続確認メッセージを受信した場合に、前記接続確認メッセージと同一の前記識別ＩＤおよび自装置を特定可能なユニークな装置情報を含む前記接続応答メッセージを前記通信装置に送信する端末制御部とを有し、前記端末制御部は、前記端末通信部を介して前記通信装置から前記接続確認メッセージと同一の前記識別ＩＤと、自装置の装置情報と、設定情報とを含む設定通知メッセージを受信した場合に、受信した前記設定情報を用いて自装置の設定を行うことを特徴とする。
【００１１】
請求項４に係る遠隔設定方法は、ネットワーク管理サーバと、前記ネットワーク管理サーバに接続された上位側の通信装置と、前記通信装置にネットワークを介して接続される複数の端末通信装置とで構成され、新たに前記ネットワークに接続された前記端末通信装置の設定を前記ネットワーク管理サーバおよび前記上位側の通信装置から遠隔で行うための遠隔設定方法において、前記上位側の通信装置では、前記端末通信装置との間で予め設定された識別ＩＤのフレームを送受信する専用の仮想的なパスを形成して通信を行い、前記ネットワークに予め設定された識別ＩＤの接続確認メッセージを前記専用の仮想的なパスで定期的にブロードキャスト送信する手順と、前記接続確認メッセージと同一の前記識別ＩＤおよび前記端末通信装置を特定可能なユニークな装置情報を含む接続応答メッセージを受信するか否かによって新たな端末通信装置が前記ネットワークに接続されたことを検出する手順と、前記接続確認メッセージに含まれる前記装置情報に対応する設定情報を前記ネットワーク管理サーバから受け取り、受け取った設定情報と、前記接続確認メッセージと同一の前記識別ＩＤと、前記装置情報とを含む設定通知メッセージを前記端末通信装置に送信する手順とを実行し、前記端末通信装置では、前記通信装置との間で予め設定された識別ＩＤのフレームを送受信する専用の仮想的なパスを形成して通信を行い、前記通信装置から前記識別ＩＤの前記接続確認メッセージを受信した場合に、前記接続確認メッセージと同一の前記識別ＩＤおよび自装置を特定可能なユニークな装置情報を含む前記接続応答メッセージを前記通信装置に送信する手順と、前記通信装置から前記接続確認メッセージと同一の前記識別ＩＤの設定通知メッセージと、自装置の装置情報と、設定情報とを含む前記設定通知メッセージを受信した場合に、受信した前記設定情報を用いて自装置の設定を行う手順とを実行することを特徴とする。
【発明の効果】
【００１２】
本発明に係る通信装置，端末通信装置および遠隔設定システム並びに遠隔設定方法は、インバンドで設定用の制御フレームと通信用のユーザフレームとを送受信する場合に、特定の識別ＩＤが付与された制御フレームを送受信するための仮想的なパスを設けることによって、新たに設置された通信装置や端末を自動的に検知して、初期設定などを遠隔で行うことができる。
【図面の簡単な説明】
【００１３】
【図１】本実施形態に係る遠隔設定システム１００の全体構成例を示す図である。
【図２】本実施形態に係る通信装置１０２の構成例を示すブロック図である。
【図３】通信装置１０２の出力インタフェース情報保存部２５２のテーブル例を示す図である。
【図４】ネットワーク管理サーバ１０１から通信装置１０２に設定される登録情報の一例を示す図である。
【図５】本実施形態に係る端末通信装置１０３の構成例を示すブロック図である。
【図６】端末通信装置１０３の出力インタフェース情報保存部３５３のテーブル例を示す図である。
【図７】通信装置１０２と端末通信装置１０３の間のメッセージ送受信の流れを示す図である。
【図８】通信装置１０２の処理を示すフローチャートである。
【図９】端末通信装置１０３の処理を示すフローチャートである。
【図１０】ＭＰＬＳ使用時の遠隔設定システム１００ａの接続例を示す図である。
【図１１】ＭＰＬＳ使用時の各テーブルの設定例を示す図である。
【発明を実施するための形態】
【００１４】
以下、本発明に係る通信装置，端末通信装置および遠隔設定システム並びに遠隔設定方法の実施形態について図面を用いて詳しく説明する。
【００１５】
［システム全体の構成例および動作］
図１は、複数の通信装置，複数の端末通信装置などを有する遠隔設定システム１００のシステム全体図である。図１の例では、複数の通信装置１０２，１５２が監視制御網１５１を介してネットワーク管理サーバ１０１に接続されている。さらに、通信装置１０２の配下には、通信網１６１を介して複数の端末通信装置１０３，１６２，１６３が接続されている。尚、図１の例では、ネットワーク管理サーバ１０１と、監視制御網１５１と、複数の通信装置１０２，１５２とが上位局１５３など同じ局舎内にある場合を示しているが、例えば通信装置１５２は上位局１５３と離れた別の局舎にあってもよいし、ネットワーク管理サーバ１０１が通信装置１０２，１５２とは別の場所にあってもよい。
【００１６】
また、本実施形態では、オペレータがネットワーク管理サーバ１０１から監視制御網１５１を介して接続されている通信装置１０２を操作して、新たに通信網１６１に接続される予定の端末通信装置１０３の初期設定を行う例について説明するが、他の端末通信装置１６２，１６３などが新たに接続される場合の初期設定を行う場合についても同様に適用できる。或いは、通信装置１０２の代わりに通信装置１５２の配下に接続されている端末通信装置に対して初期設定を行う場合についても同様に適用できる。
【００１７】
図１において、オペレータはネットワーク管理サーバ１０１を操作して、今後、新たに設置される予定の端末通信装置１０３の設定情報を入力する。入力された設定情報は、端末通信装置１０３を配下に有する上位側の通信端末１０２に送信される。尚、新たに設置予定の端末通信装置１０３が設置される場所の上位側の通信装置の出力インターフェース番号は予め設置計画に基づいてオペレータが把握しているものとする。また、新たに設置予定の端末通信装置１０３を特定可能な唯一の情報（ＭＡＣアドレスなど）もオペレータが把握しているものとする。但し、新たに設置予定の端末通信装置１０３は、何ら初期設定が為されていない状態にあり、例えばネットワーク１６１がＩＰ網である場合は、ＩＰ網での宛先情報であるＩＰアドレスなども設定されていないものとする。従って、新たに設置された端末通信装置１０３がネットワーク１６１に物理的に接続された状態では、ＩＰアドレスが設定されていないのでＩＰアドレスを用いた通信を行うことができない状態にある。
【００１８】
尚、システム全体で制御フレーム用の特定の識別ＩＤが予め決められており、端末通信装置１０３はこの識別ＩＤのフレームを上位側の通信装置１０２から受信した場合は、端末側の出力インターフェースに転送せずに自装置の制御部（ＣＰＵなど）に渡すように、予め設定されているものとする。
【００１９】
ここで、識別ＩＤの例として、例えばＭＰＬＳ網のＬＳＰを用いる場合はラベル番号に相当し、ラベル番号が１０００番のフレームは他に転送せずに自装置の制御部に引き渡す。或いは、ＶＬＡＮの場合でも同様に、システム全体で共通の識別ＩＤとしてＶＬＡＮ−ＩＤ（例えばＡＢＣなど）を予め決めておき、ＶＬＡＮ−ＩＤ＝”ＡＢＣ”のフレームが上位側の通信装置１０２から送られてきた場合は、端末側の出力インターフェースに転送せずに自装置の制御部に渡す。
【００２０】
このようにして、端末通信装置１０３は、上位側から送られてくる予め決められた識別ＩＤが付加された制御フレームを下位側に転送せずに確実に自装置の制御部で受け取ることができる。尚、この場合の制御フレームは、例えば後で説明する「接続確認」メッセージや「設定通知」メッセージなどに対応する。
【００２１】
逆に、端末通信装置１０３側から上位側の通信装置１０２に出力する制御フレームについても同様の識別ＩＤ（同じ識別ＩＤでもよいし別の識別ＩＤを予め決めておいてもよい）が用いられ、上位側の通信装置１０２は、制御フレームであることを認識して他の出力インターフェースに転送することなく通信装置１０２の制御部に出力する。このようにして、通信装置１０２は、下位側の端末通信装置１０３から送られてくる制御フレームを他の通信経路に転送せずに確実に自装置の制御部で受け取ることができる。尚、この場合の制御フレームは、例えば後で説明する「接続応答」メッセージや「設定完了」メッセージなどに対応する。
【００２２】
［通信装置１０２の構成例および動作］
次に、通信装置１０２の構成例を図２に示す。図２において、通信装置１０２は、制御ブロック１１１と、通信ブロック１１２とに分けることができる。制御ブロック１１１は、ネットワーク管理サーバ１０１に接続され、様々な制御情報（設定情報や管理情報など）を送受信する。例えば、制御ブロック１１１は、ネットワーク管理サーバ１０１から自装置や配下に接続される複数の端末通信装置の設定情報を受信したり、逆に自装置や配下に接続される複数の端末通信装置の管理情報をネットワーク管理サーバ１０１に送信する。
【００２３】
図２において、制御ブロック１１１は、制御部２０１と、外部インターフェース部２０２と、設定保存部２０３とで構成される。さらに、制御部２０１は、ＣＰＵ部２５１と、ＦＰＧＡ部２５２とで構成される。ＣＰＵ部２５１は予め内部に記憶されたプログラムに従って動作し、通信装置１０２全体の制御を行う。特に、本実施形態では、ＣＰＵ部２５１は、ネットワーク管理サーバ１０１との間の通信や、通信ブロック１１２を介して複数の端末通信装置との間で制御情報を送受信する通信制御部２６１と、新たに接続される端末通信装置を検出する検出部２６２とを有する。ＦＰＧＡ部２５２は、ＣＰＵ部２５１の周辺のインターフェースを提供する回路変更が可能なＩＣで、本実施形態では外部インターフェース部２０２を介してネットワーク管理サーバ１０１から送られてくる設定情報を設定保存部２０３に保存する。或いは、設定保存部２０３に保存されている設定情報を読み出して、ＣＰＵ部２５１の指令に応じて通信ブロック１１２を介して配下の端末通信装置に設定する。尚、設定保存部２０３は、メモリやハードディスク等の記憶媒体であるが、ＦＰＧＡ部２５２に含めてもよい。また、本実施形態では、実装置のハードウェア回路を意識してＣＰＵ部２５１とＦＰＧＡ部２５２のように分けて記載したが、ＣＰＵ部２５１とＦＰＧＡ部２５２は制御部２０１として１つのブロックにまとめてもよい。いずれの場合でも、検出部２６２および設定部２６３の動作が本実施形態の特徴部分である。
【００２４】
図２において、通信ブロック１１２は、スイッチ部２０４と、物理インターフェース終端部２０５，２０６，２０７および２０８とを有する。ここで、通信ブロック１１２は、通信装置１０２の本来の通信動作を行うブロックである。スイッチ部２０４は、複数の物理インターフェース終端部間の転送経路を切り換え、例えば物理インターフェース終端部２０５から入力するユーザフレームを物理インターフェース終端部２０８に出力したり、物理インターフェース終端部２０７から入力するユーザフレームを物理インターフェース終端部２０６に出力する。
【００２５】
特に本実施形態では、スイッチ部２０４は、制御部２０１から入力する特定の制御フレームを指示された物理インターフェース終端部に出力し、逆に物理インターフェース終端部から入力する特定の制御フレームを制御部２０１に出力する。ここで、スイッチ部２０４は、出力インターフェース選択部２５３と、出力インターフェース情報保存部２５４とを有する。出力インターフェース選択部２５３は、物理インタフェース終端部（２０５〜２０８）で受信されたユーザフレームをどの物理インタフェース終端部へ出力するかを決定する部分であり、どこへ出力するかを決める経路情報は出力インタフェース情報保存部２５４に保存されている。例えば、出力インターフェース選択部２５３は、ルーティングを行うスイッチに相当し、出力インターフェース情報保存部２５４に保存されている経路情報（ルーティングテーブルなど）に応じて制御フレーム或いはユーザフレームの転送を行う。
【００２６】
ここで、出力インタフェース情報保存部２５４は、図３のようなテーブル構造を持ち、出力インターフェース選択部２５３が受信したフレームをどの物理インタフェース終端部（２０５〜２０８）または制御部２０１へ転送するのかを示す経路情報を保持している。例えば図３において、入力インターフェース番号：（２０７）から入力する識別ＩＤ：５００のフレームは出力インターフェース番号：（２０５）に出力される。同様に、入力インターフェース番号：（２０８）から入力する識別ＩＤ：６００のフレームは出力インターフェース番号：（２０６）に出力され、入力インターフェース番号：（２０１）から入力する識別ＩＤ：１０００のフレームは出力インターフェース番号：（２０６）に出力される。逆に、入力インターフェース番号：（２０６）から入力する識別ＩＤ：１０００のフレームは出力インターフェース番号：（２０１）に出力される。このようにして、出力インターフェース選択部２５３は、受信したフレームの識別ＩＤに応じて当該フレームの出力先を切り換える。
【００２７】
尚、図３において、入力インターフェース番号および出力インターフェース番号は、図２の通信装置１０２の各符号番号に対応し、例えば入力インターフェース番号：（２０７）および（２０８）は物理インターフェース終端部２０７および２０８にそれぞれ対応し、出力インターフェース番号：（２０５）および（２０６）は物理インターフェース終端部２０５および２０６にそれぞれ対応する。また、入力インターフェース番号：（２０１）および出力インターフェース番号：（２０１）は制御部２０１に対応する。例えば図３の場合は、制御部２０１のＣＰＵ部２５１やＦＰＧＡ部２５２から出力される識別ＩＤが１０００の制御フレームは、物理インターフェース終端部２０６から出力され、逆に物理インターフェース終端部２０６から入力される識別ＩＤが１０００の制御フレームは、制御部２０１に出力される。
【００２８】
また、図３において、識別ＩＤは、通信装置（本実施例では通信装置１０２）から端末通信装置（本実施例では端末通信装置１０３）に送信される制御フレームに付加され、ネットワーク１６１の途中で使用される中継装置（ルータやスイッチでＭＰＬＳの場合はＬＳＲ（Ｌａｂｅｌ  Ｓｗｉｔｃｈｉｎｇ  Ｒｏｕｔｅｒ）など）や端末通信装置で制御フレームを識別するための情報である。そして、この識別ＩＤによって、通信装置と端末通信装置との間で専用の仮想的なパスが形成される。例えばＭＰＬＳを用いる場合は、識別ＩＤはラベル番号に相当する。
【００２９】
このように、出力インターフェース選択部２５３は、制御部２０１から受け取った設定情報などの制御情報を含む制御フレームの識別ＩＤに基づいて図３の出力インタフェース情報保存部２５４のテーブル検索を行い、検索された出力インタフェース番号へ当該制御フレームを出力する。
【００３０】
［設定情報の登録動作］
次に、ネットワーク管理サーバ１０１から受け取った設定情報の登録動作について説明する。図２において、ＣＰＵ部２５１は、ネットワーク管理サーバ１０１から外部インタフェース部２０２を経由して端末通信装置１０３などへの設定情報を受信する。設定情報を受信したＣＰＵ部２５１は、ＦＰＧＡ部２５２に設定情報を出力し、ＦＰＧＡ部２５２の設定部２６３は、設定保存部２０３に設定情報を保存する。
【００３１】
ここで、設定情報について説明する。図４は、設定情報の一例を示す図で、端末通信装置１０３が接続されている通信装置１０２の出力インターフェース番号と、識別ＩＤと、様々な設定データとを有する。図４の例では、設定データＡはＩＰアドレス、設定データＢは端末名称である。また、出力インターフェース番号は、図２の物理インターフェース終端部のいずれかを示している。例えば、出力インターフェース番号（２０６）は図２の物理インターフェース終端部２０６に対応し、出力インターフェース番号（２０８）は図２の物理インターフェース終端部２０８に対応する。尚、図４において、新たに設置される予定の装置情報（例えばＭＡＣアドレスなど）に対応付けて各設定データが予めネットワーク管理サーバ１０１のオペレータによって記憶されていてもよい。特に複数の端末通信装置が新たに設置予定の場合は、この装置情報によって区別することができる。また、設置計画に従って、１台ずつ設置していく場合は、装置情報はなくても構わない。
【００３２】
また、図４の例では、各識別ＩＤが付加された制御フレームには、設定データＡおよび設定データＢが記載される。例えば装置情報ＡＡＡの端末通信装置に対応する設定データは、出力インターフェース番号（２０６）から送信され、その制御フレームには、識別ＩＤ：１０００と、設定データＡとしてＩＰアドレス：１９２．１６８．０．１００と、設定データＢとして名称：Ａｐｐｌｅとが記載される。同様に、装置情報ＢＢＢの端末通信装置に対応する設定データは、出力インターフェース番号（２０８）から送信され、制御フレームには、識別ＩＤ：４００と、設定データＡとしてＩＰアドレス：１０．１０．１１６．２０１と、設定データＢとして名称：Ｏｒａｎｇｅとが記載される。尚、図４の例では、設定データＡおよびＢの２つの設定データを設けたが、設定データの数は１つであっても構わないし、３つ以上であってもよい。また、出力インターフェース番号あるいは識別ＩＤ毎に設定データの数が異なっていてもよい。
【００３３】
［端末通信装置１０３の構成例および動作］
次に、端末通信装置１０３の構成例を図５に示す。図５において、端末通信装置１０２は、制御ブロック１２１と、通信ブロック１２２とに分けることができる。
【００３４】
制御ブロック１２１は、図５の例では、制御部３０１と、自装置設定情報保存部３０２とを有する。そして、制御部３０１はＣＰＵ部３５１を中心に周辺回路などで構成される。ＣＰＵ部３５１は予め内部に記憶されたプログラムに従って動作し、端末通信装置１０３全体の制御を行う。特に本実施形態では、ＣＰＵ部３５１は、上位側の通信装置１０２から送られてくる予め決められた特定の識別ＩＤが付加された制御フレームを通信ブロック１２２側から受け取り、制御フレームに応じた処理を行う。例えば後で詳しく説明するが、「接続確認」メッセージを受け取った場合は「接続応答」メッセージを返信したり、「設定通知」メッセージを受け取った場合は当該メッセージに含まれる設定データを自装置設定情報保存部３０２に保持し、自装置のＩＰアドレスや各種のパラメータなどを設定する。
【００３５】
通信ブロック１２２は、図５の例では、スイッチ部３０３と、物理インターフェース終端部３０４と、物理インターフェース終端部３０５とを有する。ここで、通信ブロック１２２は、端末通信装置１０３の本来の通信動作を行うブロックで、スイッチ部３０３は、複数の物理インターフェース終端部および制御ブロック側との転送経路を切り換える。例えば、物理インターフェース終端部３０４を上位側の通信装置１０２側のネットワークに接続し、物理インターフェース終端部３０５にパソコンやルータなどのユーザ端末が接続される。尚、図５の例では、２つの物理インターフェース終端部しか描かれていないが、３つ以上の物理インターフェース終端部を有していても構わない。そして、ユーザフレームの送受信時は、物理インターフェース終端部３０４から入力するユーザフレームを物理インターフェース終端部３０５に出力したり、物理インターフェース終端部３０５から入力するユーザフレームを物理インターフェース終端部３０４に出力する。
【００３６】
特に本実施形態では、スイッチ部３０３は、通信装置１０２側が接続される物理インターフェース終端部から入力する特定の制御フレームを制御部３０１に出力し、逆に制御部３０１から入力する特定の制御フレームを同じ物理インターフェース終端部に出力する。
【００３７】
スイッチ部３０３は、出力インターフェース選択部３５２と、出力インターフェース情報保存部３５３とを有する。出力インターフェース選択部３５２は、物理インタフェース終端部（３０４，３０５）で受信されたユーザフレームや制御フレームをどこに出力するかを決定する部分であり、どこへ出力するかを決める経路情報は出力インタフェース情報保存部３５３に保存されている。例えば、出力インターフェース選択部３５２は、ルーティングを行うスイッチに相当し、出力インターフェース情報保存部３５３に保存されている経路情報（ルーティングテーブルなど）に応じて制御フレーム或いはユーザフレームの転送を行う。
【００３８】
ここで、出力インタフェース情報保存部３５３は、図６のようなテーブル構造を持ち、出力インターフェース選択部３５２が受信したフレームをどの物理インタフェース終端部（３０４，３０５）または制御部３０１へ出力するのかを示す経路情報を保持している。
【００３９】
例えば図６において、入力インターフェース番号：（３０４）から入力する識別ＩＤ：１０００のフレームは出力インターフェース番号：（３０１）に出力される。同様に、入力インターフェース番号：（３０５）から入力する識別ＩＤ：１００のフレームは出力インターフェース番号：（３０４）に出力され、入力インターフェース番号：（３０４）から入力する識別ＩＤ：２００のフレームは出力インターフェース番号：（３０５）に出力される。また、入力インターフェース番号：（３０１）から入力する識別ＩＤ：１０００のフレームは出力インターフェース番号：（３０４）に出力される。このようにして、出力インターフェース選択部２５３は、受信したフレームの識別ＩＤに応じて当該フレームの出力先を切り換える。
【００４０】
尚、図６において、入力インターフェース番号および出力インターフェース番号は、図５の端末通信装置１０３の各符号番号に対応し、例えば入力インターフェース番号：（３０４）および（３０５）は物理インターフェース終端部３０４および３０５にそれぞれ対応する。また、入力インターフェース番号：（３０１）および出力インターフェース番号：（３０１）は制御部３０１に対応する。例えば図６の場合は、制御部３０１のＣＰＵ部３５１から出力される識別ＩＤが１０００の制御フレームは、物理インターフェース終端部３０４から出力され、逆に物理インターフェース終端部３０４から入力される識別ＩＤが１０００の制御フレームは、制御部３０１に出力される。つまり、制御フレームは、物理インターフェース終端部３０５などに接続されるユーザ端末には出力されない。
【００４１】
このようにして、出力インターフェース選択部３５２は、通信装置１０２から受け取った設定情報などの制御情報を含む制御フレームの識別ＩＤに基づいて図５の出力インタフェース情報保存部３５３のテーブル検索を行い、検索された出力インタフェース番号へ当該制御フレームを出力する。逆に制御部３０１が出力する応答メッセージなどの制御フレームもその識別ＩＤに基づいて図５の出力インタフェース情報保存部３５３のテーブル検索し、検索された出力インタフェース番号へ当該制御フレームを出力する。
【００４２】
ここで、制御フレームは、通信装置１０２から送られてくる「接続確認」メッセージや「設定通知」メッセージ、或いは制御部３０１から通信装置１０２に送信する「接続応答」メッセージや「設定完了」メッセージなどである。
【００４３】
［端末通信装置１０３の検出手順］
次に、端末通信装置１０３の検出手順について図７を用いて説明する。図７は、通信装置１０２と端末通信装置１０３との間のメッセージの送受信を示す図である。尚、図７に示された各メッセージは、先に説明した制御フレームで送受信されるメッセージである。例えば、図３，図４および図６で説明した識別ＩＤ：１０００が付加された制御フレームに対応する。尚、端末通信装置１０３の出力インターフェース情報保存部３５３には予め識別ＩＤ：１０００のフレームは、制御部３０１側と入出力することを示すテーブルが設定されているものとする。ここで、これらのテーブルは、新たに接続される端末通信装置に初期設定を行うための特定の識別ＩＤとして予め決めておく。
【００４４】
図７において、通信装置１０２は、識別ＩＤ：１０００が付加された「接続確認」メッセージの制御フレームをネットワーク１６１に送信する。この時点では、端末通信装置１０３はネットワーク１６１に接続されていないので、通信装置１０２は端末通信装置１０３からの応答を受信しない。そして、通信装置１０２は、応答を受信するまで、予め設定された所定時間間隔で「接続確認」メッセージ２５１，２５２，２５３をネットワーク１６１に送信する。尚、ネットワーク１６１に接続済みの他の端末通信装置も「接続確認」メッセージを受け取るが、既に初期設定済みなので通信装置１０２側に応答メッセージを返さない。但し、端末通信装置１０３と同様に新たに接続された端末通信装置がある場合は、以降で説明する端末通信装置１０３と同様の動作を行って、初期設定される。
【００４５】
図７において、通信装置１０２が「接続確認」メッセージ２５４を送信する前に端末通信装置１０３がネットワーク１６１に接続された場合（端末接続２６１）、図５で説明したように、端末通信装置１０３の制御部３０１は物理インターフェース終端部３０４および出力インターフェース選択部３５２を介して「接続確認」メッセージ２５４を受信する。ここで、「接続確認」メッセージは、新たに設置された端末通信装置に対して初期設定を促すためのブロードキャストメッセージである。
【００４６】
そして、制御部３０１は、初期設定が行われていないので、識別ＩＤ：１０００が付加された「接続応答」メッセージ２５５を出力インターフェース選択部３５２および物理インターフェース終端部３０４を介してネットワーク１６１に出力する。一方、通信装置１０２は、ネットワーク１６１を介して物理インターフェース終端部２０６から「接続応答」メッセージ２５５を受信し、出力インターフェース選択部２５３は「接続応答」メッセージ２５５に識別ＩＤ：１０００が付加されているので、制御部２０１側に出力する。ここで、「接続応答」メッセージは、新たに設置された端末通信装置から通信装置１０２に初期設定情報を要求するためのユニキャストメッセージである。尚、「接続応答」メッセージには、端末通信装置を特定できるユニークな装置情報（例えばＭＡＣアドレスなど）が含まれている。
【００４７】
そして、端末通信装置１０３から「接続応答」メッセージ２５５を受信した通信装置１０２の制御部２０１は、端末通信装置１０３が新たに接続されたことを検出する（検出２７１）。尚、この検出は、図２で説明したように、制御部２０１のＣＰＵ部２５１の検出部２６２によって実行される。検出部２６２が端末通信装置１０３が新たに接続されたことを検出すると、ＣＰＵ２５１はＦＰＧＡ部２５２を介して、端末通信装置１０３に対する設定情報を設定保存部２０３から読み出す。この時、図４で説明したように、「接続応答」メッセージに含まれる端末通信装置を特定できるユニークな装置情報（例えばＭＡＣアドレスなど）に基づいて設定情報が検索される。例えば図４の場合は、装置情報ＡＡＡが端末通信装置１０３に対応するので、装置情報ＡＡＡに対応する識別ＩＤ：１０００と、設定データＡとしてＩＰアドレス：１９２．１６８．０．１００と、設定データＢとして名称：Ａｐｐｌｅとが読み出される。
【００４８】
そして、制御部３０１は、識別ＩＤ：１０００が付加された「設定通知」メッセージ２５６（装置情報：ＡＡＡ，設定データＡおよび設定データＢを含む）を出力インターフェース選択部３５２および物理インターフェース終端部３０４を介してネットワーク１６１に出力する。一方、通信装置１０２は、ネットワーク１６１を介して物理インターフェース終端部２０６から「設定通知」メッセージ２５６を受信し、出力インターフェース選択部２５３は「設定通知」メッセージ２５６に識別ＩＤ：１０００が付加されているので、制御部２０１側に出力する。ここで、「設定通知」メッセージ２５６には、装置情報：ＡＡＡが含まれているので、端末通信装置１０３の制御部３０１は、自装置宛のメッセージであることを認識できる。
【００４９】
「設定通知」メッセージ２５６を受け取った端末通信装置１０３の制御部３０１は、「設定通知」メッセージ２５６に含まれる設定データＡおよび設定データＢを図５の自装置設定情報保存部３０２に保存する（設定２６２）。これにより、例えば設定データＡがＩＰアドレスを示す場合は、端末通信装置１０３に対するＩＰアドレスの割り当てが完了する。制御部３０１は、設定が完了したことを示す識別ＩＤ：１０００が付加された「設定完了」メッセージ２５７（装置情報：ＡＡＡを含む）を出力インターフェース選択部３５２および物理インターフェース終端部３０４を介してネットワーク１６１に出力する。
【００５０】
一方、通信装置１０２は、ネットワーク１６１を介して物理インターフェース終端部２０６から「設定完了」メッセージ２５７を受信し、出力インターフェース選択部２５３は「設定完了」メッセージ２５７に識別ＩＤ：１０００が付加されているので、制御部２０１側に出力する。ここで、「設定完了」メッセージ２５７は、装置情報：ＡＡＡを含んでいるので、通信装置１０２の制御部２０１は、端末通信装置１０３の初期設定が完了したことを確認できる。
【００５１】
このようにして、新たに接続される端末通信装置１０３に対して、ＩＰアドレスなどの初期設定を行うことができる。特に本実施形態では、端末通信装置に予めＩＰアドレスなどを割り当てて設定しておく必要がなく、制御フレームを送受信する識別ＩＤを決めておくだけでよい。これにより、新たに端末通信装置を設置する際にＩＰアドレスを設定するなどの煩雑な操作を行う必要がなく、オペレータはネットワーク管理サーバ１０１から設置予定の端末通信装置１０３の設定情報を一括して上位側の通信装置１０２に設定するだけでよい。
【００５２】
［通信装置１０２の処理］
次に、図７で説明した端末通信装置１０３の検出手順における通信装置１０２側の処理について図８を用いて詳しく説明する。図８は、通信装置１０２の制御部２０１の処理（ＣＰＵ２５１を中心とする処理）の流れを示すフローチャートである。
【００５３】
（ステップＳ１０１）制御部２０１は、端末通信装置１０３に「接続確認」メッセージを送信する。
【００５４】
（ステップＳ１０２）制御部２０１は、予め設定された所定時間（例えば１分間など）だけ待機する（Ｗａｉｔ）。
【００５５】
（ステップＳ１０３）制御部２０１は、端末通信装置１０３から「接続応答」メッセージを受信したか否かを判別する。そして、端末通信装置１０３から「接続応答」メッセージを受信した場合はステップＳ１０４に進み、「接続応答」メッセージを受信していない場合はステップＳ１０１に戻る。
【００５６】
（ステップＳ１０４）制御部２０１は、端末通信装置１０３に「設定通知」メッセージを送信する。
【００５７】
（ステップＳ１０５）制御部２０１は、予め設定された所定時間（例えば１分間など）だけ待機する（Ｗａｉｔ）。
【００５８】
（ステップＳ１０６）制御部２０１は、端末通信装置１０３から「設定完了」メッセージを受信したか否かを判別する。そして、端末通信装置１０３から「設定完了」メッセージを受信した場合は処理を終了し、「設定完了」メッセージを受信していない場合はステップＳ１０４に戻る。
【００５９】
このようにして、通信装置１０２は、新たに接続された端末通信装置１０３を検出し、初期設定を行うことができる。特に本実施形態では、先に説明したように、予めシステムで決められた特定の識別ＩＤを付加した制御フレームを用いて、「接続確認」，「接続応答」，「設定通知」および「設定完了」の各メッセージ送受信するので、通信装置１０２の出力インターフェース選択部２５３は、他のユーザフレームと混同することなく、端末通信装置１０３から送信される制御フレームを確実に制御部２０１側に転送することができる。
【００６０】
［端末通信装置１０３の処理］
次に、図７で説明した端末通信装置１０３の検出手順における端末通信装置１０３側の処理について図９を用いて詳しく説明する。図９は、端末通信装置１０３の制御部３０１の処理（ＣＰＵ３５１を中心とする処理）の流れを示すフローチャートである。
【００６１】
（ステップＳ２０１）保守者は、端末通信装置１０３をネットワーク１６１に接続する。尚、保守者は、端末通信装置１０３の電源を投入し装置を立ち上げるだけでよく、従来のように保守用の端末を端末通信装置１０３に接続してＩＰアドレスなどを初期設定する必要はない。
【００６２】
（ステップＳ２０２）制御部３０１は、通信装置１０２から定期的に送信される「接続確認」メッセージを受信する。尚、通信装置１０２は定期的に「接続確認」メッセージを送信しているので、図９では待機処理を設けなかったが、ステップＳ２０２で「接続確認」メッセージを受信するまで待機するようにしてもよい。
【００６３】
（ステップＳ２０３）制御部３０１は、通信装置１０２に「接続応答」メッセージを送信する。
【００６４】
（ステップＳ２０４）制御部３０１は、予め設定された所定時間（例えば１分間など）だけ待機する（Ｗａｉｔ）。
【００６５】
（ステップＳ２０５）制御部３０１は、通信装置１０２から「設定通知」メッセージを受信したか否かを判別する。通信装置１０２から「設定通知」メッセージを受信した場合はステップＳ２０６に進み、「設定通知」メッセージを受信していない場合はステップＳ２０４に戻って待機する。
【００６６】
（ステップＳ２０６）制御部３０１は、「設定通知」メッセージに含まれる設定情報を自装置設定情報保存部３０２に記憶する。
【００６７】
（ステップＳ２０７）制御部３０１は、通信装置１０２に「設定完了」メッセージを送信する。
【００６８】
このようにして、端末通信装置１０３は、通信装置１０２から定期的に送られてくる「接続確認」メッセージを受信して、「接続応答」メッセージを送信することにより、通信装置１０２から設定情報を受信して初期設定することができる。特に本実施形態では、先に説明したように、予めシステムで決められた特定の識別ＩＤを付加した制御フレームを用いて、「接続確認」および「設定通知」の各メッセージ受信するので、端末通信装置１０３の出力インターフェース選択部３５２は、他のユーザフレームと混同することなく、制御部３０１（ＣＰＵ部３５１）側に転送することができる。
【００６９】
［ＭＰＬＳへの適用例］
上記の説明では、汎用的に識別ＩＤによって通信装置１０２と端末通信装置１０３との間で専用の仮想的なパスを形成して制御フレームを送受信するようにしたが、例えば実際には識別ＩＤにＭＰＬＳ（Ｍｕｌｔｉ  Ｐｒｏｔｏｃｏｌ  Ｌａｂｅｌ  Ｓｗｉｔｃｈｉｎｇ）のラベル番号を用いて仮想的なパスを形成する。この場合、ネットワーク１６１はＭＰＬＳ対応網で、ラベル番号に基づいてルーティングが行われる。
【００７０】
図１０は、先に説明した遠隔設定システム１００の通信装置１０２と端末通信装置１０３とをＭＰＬＳ網１６１ａで接続する様子を描いた図である。尚、図１０において、図１，図２および図５と同符号のものは同じものを示し、同符号にアルファベットのａを付したブロックは同様のブロックであるが動作がＭＰＬＳ用に特化されたブロックを示す。また、以下の説明で使用する箇条書きの（番号）は図１０の吹き出し窓に記載した（番号）に対応する。
【００７１】
（１）先ずネットワーク管理サーバ１０１からオペレータの操作によって通信装置１０１のテーブル２０３ａに新たに設置予定の端末通信装置の登録を行う（点線２７１）。尚、オペレータが通信装置１０１に登録する情報は、例えば図４で説明した情報である。また、遠隔設定システム１００として、予め初期設定用のＭＰＬＳラベル番号を決めておくものとする。ここではＭＰＬＳラベル番号が１０００番と仮定する。さらに、新たに設置予定の端末通信装置１０３は、設置前のデフォルト状態でＭＰＬＳラベル番号が１０００番の処理テーブルを持つものとする。この処理テーブルは、図６で説明したテーブル例と同様のテーブルで、例えば端末通信装置１０３のＬａｂｅｌＳＷ３０３ａは、ＭＰＬＳラベル番号が１０００番のフレームをＭＰＬＳ網１６１ａから受け取った場合は、物理インターフェース終端部３０５ではなく、ＣＰＵ３５１側に出力する。
【００７２】
ここで、オペレータがネットワーク管理サーバ１０１から通信装置１０２に登録する登録情報の項目例を以下に列挙する。尚、この登録情報は図１１（ａ）に対応する。
・新たに端末通信装置が接続される予定の通信装置１０２の物理ポート番号（物理インターフェース終端部番号）。尚、どの物理ポート番号に接続されるかは、オペレータが設置計画に基づいて事前に把握しているものとする。
・上記で決められた初期設定用ＭＰＬＳラベル以外（１０００番以外）の任意のラベル番号。図１１（ａ）の場合は２００番とする。これは、１０００番のラベル番号は初期設定用ＭＰＬＳラベルとして予約されているからである。
・接続予定の端末通信装置に設定したい任意の設定データ。図１１（ａ）の例では、設定データＡおよびＢの２つのデータである。
【００７３】
以上のような登録情報がテーブル２０３ａに記憶される。尚、図１１（ａ）において、先に説明した図４のように、装置情報を登録して、複数の端末通信装置を識別できるようにしても構わない。
【００７４】
ここで、ネットワーク設定サーバ１０１による設定内容の登録が完了すると、制御部２０１は、登録されたポート（例えば図１１（ａ）の場合はＩＦ２０６からＭＰＬＳラベルが１０００番の「接続確認」メッセージの定期的な送信を開始する。尚、図５で説明したように、端末通信装置がＭＰＬＳ網１６１ａに接続されるまで繰り返し送信される。
【００７５】
（２）端末通信装置１０３がＭＰＬＳ網１６１ａに接続されると、（１）で送信された「接続確認」メッセージが端末通信装置１０３で受信されるので、端末通信装置１０３のＣＰＵ３５１は、通信装置１０２に対してＭＰＬＳラベルが１０００番の「接続応答」メッセージを返信する。尚、ＭＰＬＳラベルが１０００番のフレームはＭＰＬＳ網１６１ａ上で仮想的なパス１６２を通信装置１０２と端末通信装置１０３との間に形成する。
【００７６】
（３）「接続応答」メッセージを受信した通信装置１０２のＬａｂｅｌＳＷ２５３ａは、受信した物理ポートの位置とＭＰＬＳラベル値からＳＷテーブル２５４ａを検索する。この場合、端末通信装置１０３からフレームを受信したポートがＩＦ２０６，フレームのラベル値が１０００番であるため、ＳＷテーブル２５４ａよりＭＰＬＳラベルを２００番に付け替えてＦＰＧＡ２５２側へ転送する。ここで、ＳＷテーブル２５４ａのテーブル例を図１１（ｂ）に示す。図１１（ｂ）において、フレームの入力ポートがＦＰＧＡ２５２でラベル番号が２００番の場合は出力ポートがＩＦ２０６で１０００番のラベルに付け替えることを示している。同様に、フレームの入力ポートがＩＦ２０６でラベル番号が１０００番の場合は出力ポートがＦＰＧＡ２５２で２００番のラベルに付け替えることを示している。
【００７７】
（４）ＬａｂｅｌＳＷ２５３ａから転送された「接続応答」メッセージを受信したＦＰＧＡ２５１は、ＬａｂｅｌＳＷ２５３ａで付け替えられたラベル番号の２００番でテーブル２０３ａを検索する。
【００７８】
（５）ＦＰＧＡ２５１は、テーブル２０３ａ（この場合は図１１（ａ））で検索したラベル番号が２００番の登録情報（設定データＡおよびＢ）を読み出して、ＭＰＬＳラベルが２００番の「設定通知」メッセージを生成してＬａｂｅｌＳＷ２５３ａへ出力する。
【００７９】
（６）ＬａｂｅｌＳＷ２５３ａは、ＳＷテーブル２５４ａ（この場合は図１１（ｂ））を参照して、ＦＰＧＡ２５１から出力されるラベル番号が２００番の「設定通知」メッセージのラベル番号を１０００番に付け替えて、ＩＦ２０６からＭＰＬＳ網１６１ａに送信する。
【００８０】
ここで、（５）および（６）は図１０の点線２７２のデータの流れに相当する。
【００８１】
（７）端末通信装置１０３のＬａｂｅｌＳＷ３５２ａは、ＭＰＬＳ網１６１ａから受信した「設定通知」メッセージをＣＰＵ３５１に転送する（点線２７３）。そして、ＣＰＵ３５１は、「設定通知」メッセージの制御フレーム内の設定情報（設定データＡおよびＢ）を取り出して自装置に設定または自装置設定情報保存部３０２に記憶する。例えば、図１０の例では、図１１（ａ）の設定データＡに基づいて、ＣＰＵ３５１にＩＰアドレス：１０，１０，１１６，２０１が設定される。同様に、装置名称や動作設定パラメータなどに対応する設定データＢの１２３４もＣＰＵ３５１に設定される。
【００８２】
（８）ＣＰＵ３５１は、自装置の設定が完了後、ＭＰＬＳラベルが１０００番の「設定完了」メッセージを生成してＬａｂｅｌＳＷ３５２ａへ出力する。尚、図１１（ｃ）のＳＷテーブル３５３ａの例では、ＣＰＵ３５１が出力するＭＰＬＳラベルが１０００番の「設定完了」メッセージの転送先が定義されていないが、端末通信装置１０３ではＣＰＵ３５１が出力する１０００番のフレームは全てＭＰＬＳ網１６１ａ側に転送するよう決められているものとする。或いは、端末通信装置１０３が複数のポートを有する場合には、図１１（ｂ）に示した通信装置１０２のＳＷテーブル２５４ａのように、入力ポートと出力ポートとを明確に定義しておいても構わない。
【００８３】
（９）「設定完了」メッセージを受信した通信装置１０２のＬａｂｅｌＳＷ２５３ａは、（３）の場合と同様に、受信した物理ポートの位置とＭＰＬＳラベル値からＳＷテーブル２５４ａを検索する。この場合、端末通信装置１０３からフレームを受信したポートがＩＦ２０６，フレームのラベル値が１０００番であるため、ＳＷテーブル２５４ａよりＭＰＬＳラベルを２００番に付け替えてＦＰＧＡ２５２側へ転送する。そして、「設定完了」メッセージを受け取ったＦＰＧＡ２５２は、ＬａｂｅｌＳＷ２５３ａで付け替えられたラベル番号の２００番でテーブル２０３ａを検索し、対応する登録情報をテーブル２０３ａから削除する。或いは、図１１（ａ）に示した登録情報に設定済み欄を設けて設定済みであることを示す情報を付加するようにしても構わない。この場合は、ネットワーク管理サーバ１０１からこの情報を読み取ることで、新たに接続予定の端末通信装置１０３の設定が完了したか否かを確認することができる。
【００８４】
このように、ＭＰＬＳ網１６１ａを用いて、特定のラベル番号（上記の例では１０００番）を初期設定用にシステム上で決めておくことによって、新たに端末通信装置１０３がＭＰＬＳ網１６１ａに接続された場合に、通信装置１０１との間で制御フレームを送受信することができ、確実に初期設定を行うことができる。
【００８５】
特に、本実施形態に係る遠隔設定システム１００においては、新たに接続予定の端末通信装置１０３の初期設定内容を上位側の通信装置１０２にオペレータがネットワーク管理サーバ１０１から登録しておき、端末通信装置１０３が接続された時に、これを自動的に検出して初期設定を行うことができる。これにより、端末通信装置１０３を新設する時の開通作業が容易になり、保守者は端末通信装置１０３を設置するだけでよく、現地で複雑な初期設定を行う必要がなくなる。
【００８６】
以上、本発明に係る通信装置，端末通信装置および遠隔設定システム並びに遠隔設定方法について、実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００８７】
１００，１００ａ・・・遠隔設定システム
１０１・・・ネットワーク管理サーバ
１０２，１０２ａ，１５２，１５３・・・通信装置
１０３，１０３ａ，１６２，１６３・・・端末通信装置
１１１・・・制御ブロック
１１２・・・通信ブロック
１２１・・・制御ブロック
１２２・・・通信ブロック
１５１・・・監視制御網
１６１・・・通信網
１６１ａ・・・ＭＰＬＳ網
２０１・・・制御部
２０２・・・外部インターフェース部
２０２ａ・・・Ｌ２ＳＷ
２０３・・・設定保存部
２０３ａ・・・テーブル
２０５，２０６，２０７，２０８・・・物理インターフェース終端部（ＩＦ）
２５１・・・ＣＰＵ部
２５２・・・ＦＰＧＡ部
２５３・・・出力インターフェース選択部
２５３ａ・・・ＬａｂｅｌＳＷ
２５４・・・出力インターフェース情報保存部
２５４ａ・・・ＳＷテーブル
２６１・・・通信制御部
２６２・・・検出部
２６３・・・設定部
３０１・・・制御部
３０２・・・自装置設定情報保存部
３０３・・・スイッチ部
３０４，３０５・・・物理インターフェース終端部（ＩＦ）
３５１・・・ＣＰＵ部
３５２・・・出力インターフェース選択部
３５２ａ・・・ＬａｂｅｌＳＷ
３５３・・・出力インターフェース情報保存部
３５３ａ・・・ＳＷテーブル
【図１】
0005512420.tif 000002
【図２】
0005512420.tif 000003
【図３】
0005512420.tif 000004
【図４】
0005512420.tif 000005
【図５】
0005512420.tif 000006
【図６】
0005512420.tif 000007
【図７】
0005512420.tif 000008
【図８】
0005512420.tif 000009
【図９】
0005512420.tif 000010
【図１０】
0005512420.tif 000011
【図１１】
0005512420.tif 000012